(57)【特許請求の範囲】
【請求項１】
通信機能を含み、天体存在方向に向けられたとき、特定の天体に関する少なくとも画像が表示される携帯端末であって；
前記天体存在方向に向けられた携帯端末の方向を検出する手段と；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させる手段と；
この演出効果画面の表示状態において、前記選択された情報伝達を遂行するとき、前記情報伝達の内容とともに、前記画像識別情報またはこの画像識別情報に対応付けられたＵＲＬを少なくとも送信する手段と；
前記画像識別情報を受信判定したとき、前記画像識別情報に基づいて特定される前記天体存在方向に携帯端末を向かせるための案内を生成する手段と；
前記画像識別情報に対応する前記特定の天体の画像を前記天体観賞エンジンから取得し、前記案内に応じて前記天体存在方向に前記携帯端末が向けられた時点で前記情報伝達の内容を受信したように、前記特定の天体の画像とともに表示させる手段と；
を備える携帯端末。
【請求項２】
通信機能を含み、天体存在方向に向けられたとき、特定の天体に関する少なくとも画像が表示される携帯端末であって；
前記天体存在方向に向けられた携帯端末の方向を検出する手段と；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させる手段と；
この演出効果画面の表示状態において、前記選択された情報伝達を遂行するとき、前記情報伝達の内容とともに、前記画像識別情報またはこの画像識別情報に対応付けられたＵＲＬを少なくとも送信する手段とを備え；
前記送信する手段は、ＧＰＳ受信機からの地理的位置情報に基づいて特定される前記情報伝達の内容としての所在地情報と、所在地情報伝達または距離情報伝達を指定する伝達種別とを更に送信し；
前記画像識別情報、前記所在地情報及び前記伝達種別を受信判定したとき、前記画像識別情報に対応する前記特定の天体の画像を前記天体観賞エンジンから取得し、前記天体存在方向に携帯端末が自主的に向けられた時点で前記情報伝達の内容を受信したように、前記特定の天体の画像とともに表示させる手段を更に備え；
この表示させる手段は、前記伝達種別が所在地情報伝達の場合は、受信した所在地情報を表示させ、前記伝達種別が距離情報伝達の場合は、受信した所在地情報と自己の所在地情報とに基づいて算出した距離を表示させる、
携帯端末。
【請求項３】
通信機能を含み、天体存在方向に向けられたとき、特定の天体に関する少なくとも画像が表示される携帯端末であって；
前記天体存在方向に向けられた携帯端末の方向を検出する手段と；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させる手段と；
この演出効果画面の表示状態において、前記選択された情報伝達を遂行するとき、前記情報伝達の内容とともに、前記画像識別情報またはこの画像識別情報に対応付けられたＵＲＬを少なくとも送信する手段と；
前記送信する手段が、前記画像識別情報に対応付けられたＵＲＬで特定されるサーバに前記情報伝達の内容をアップロードしたとき、前記サーバに対応付けられた前記天体存在方向に携帯端末が自主的に向けられた時点で前記情報伝達の内容を受信したように、前記天体観賞エンジンから取得した前記特定の天体の画像とともに表示させる手段と；
を備える携帯端末。
【請求項４】
通信機能を含み、天体存在方向に向けられたとき、特定の天体に関する少なくとも画像が表示される携帯端末であって；
前記天体存在方向に向けられた携帯端末の方向を検出する手段と；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させる手段と；
この演出効果画面の表示状態において、前記選択された情報伝達を遂行するとき、前記情報伝達の内容とともに、前記画像識別情報またはこの画像識別情報に対応付けられたＵＲＬを少なくとも送信する手段とを備え；
前記送信する手段は、ＧＰＳ受信機からの地理的位置情報に基づいて特定される前記情報伝達の内容としての所在地情報と、所在地情報伝達または距離情報伝達を指定する伝達種別とを更に送信し；
前記送信する手段が、前記画像識別情報に対応付けられたＵＲＬで特定されるサーバに前記情報伝達の内容をアップロードしたとき、前記サーバに対応付けられた前記天体存在方向に携帯端末が自主的に向けられた時点で前記情報伝達の内容を受信したように、前記天体観賞エンジンから取得した前記特定の天体の画像とともに表示させる手段を更に備える、
携帯端末。
【請求項５】
通信機能を含み、天体存在方向に向けられたとき、特定の天体に関する少なくとも画像が表示される携帯端末が、
前記天体存在方向に向けられた携帯端末の方向を検出するステップと；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させるステップと；
この演出効果画面の表示状態において、前記選択された情報伝達を遂行するとき、前記情報伝達の内容とともに、前記画像識別情報またはこの画像識別情報に対応付けられたＵＲＬを少なくとも送信するステップと；
前記画像識別情報を受信判定したとき、前記画像識別情報に基づいて特定される前記天体存在方向に携帯端末を向かせるための案内を生成するステップと；
前記画像識別情報に対応する前記特定の天体の画像を前記天体観賞エンジンから取得し、前記案内に応じて前記天体存在方向に前記携帯端末が向けられた時点で前記情報伝達の内容を受信したように、前記特定の天体の画像とともに表示させるステップと；
を実行する天体観賞連携通信制御方法。
【請求項６】
通信機能を含み、天体存在方向に向けられたとき、特定の天体に関する少なくとも画像が表示される携帯端末が、
前記天体存在方向に向けられた携帯端末の方向を検出するステップと；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させるステップと；
この演出効果画面の表示状態において、前記選択された情報伝達を遂行するとき、前記情報伝達の内容とともに、前記画像識別情報またはこの画像識別情報に対応付けられたＵＲＬを少なくとも送信するステップとを実行し；
前記送信するステップは、ＧＰＳ受信機からの地理的位置情報に基づいて特定される前記情報伝達の内容としての所在地情報と、所在地情報伝達または距離情報伝達を指定する伝達種別とを更に送信し；
前記画像識別情報、前記所在地情報及び前記伝達種別を受信判定したとき、前記画像識別情報に対応する前記特定の天体の画像を前記天体観賞エンジンから取得し、前記天体存在方向に携帯端末が自主的に向けられた時点で前記情報伝達の内容を受信したように、前記特定の天体の画像とともに表示させるステップを更に実行し；
この表示させるステップは、前記伝達種別が所在地情報伝達の場合は、受信した所在地情報を表示させ、前記伝達種別が距離情報伝達の場合は、受信した所在地情報と自己の所在地情報とに基づいて算出した距離を表示させる、
天体観賞連携通信制御方法。
【請求項７】
通信機能を含み、天体存在方向に向けられたとき、特定の天体に関する少なくとも画像が表示される携帯端末が、
前記天体存在方向に向けられた携帯端末の方向を検出するステップと；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させるステップと；
この演出効果画面の表示状態において、前記選択された情報伝達を遂行するとき、前記情報伝達の内容とともに、前記画像識別情報またはこの画像識別情報に対応付けられたＵＲＬを少なくとも送信するステップと；
前記送信するステップが、前記画像識別情報に対応付けられたＵＲＬで特定されるサーバに前記情報伝達の内容をアップロードしたとき、前記サーバに対応付けられた前記天体存在方向に携帯端末が自主的に向けられた時点で前記情報伝達の内容を受信したように、前記天体観賞エンジンから取得した前記特定の天体の画像とともに表示させるステップと；
を実行する天体観賞連携通信制御方法。
【請求項８】
通信機能を含み、天体存在方向に向けられたとき、特定の天体に関する少なくとも画像
が表示される携帯端末が、
前記天体存在方向に向けられた携帯端末の方向を検出するステップと；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させるステップと；
この演出効果画面の表示状態において、前記選択された情報伝達を遂行するとき、前記情報伝達の内容とともに、前記画像識別情報またはこの画像識別情報に対応付けられたＵＲＬを少なくとも送信するステップとを実行し；
前記送信するステップは、ＧＰＳ受信機からの地理的位置情報に基づいて特定される前記情報伝達の内容としての所在地情報と、所在地情報伝達または距離情報伝達を指定する伝達種別とを更に送信し；
前記送信するステップが、前記画像識別情報に対応付けられたＵＲＬで特定されるサーバに前記情報伝達の内容をアップロードしたとき、前記サーバに対応付けられた前記天体存在方向に携帯端末が自主的に向けられた時点で前記情報伝達の内容を受信したように、前記天体観賞エンジンから取得した前記特定の天体の画像とともに表示させるステップを更に実行する、
天体観賞連携通信制御方法。
【請求項９】
通信機能を含み、天体存在方向に向けられたとき、特定の天体に関する少なくとも画像が表示される携帯端末に、
前記天体存在方向に向けられた携帯端末の方向を検出するステップと；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させるステップと；
この演出効果画面の表示状態において、前記選択された情報伝達を遂行するとき、前記情報伝達の内容とともに、前記画像識別情報またはこの画像識別情報に対応付けられたＵＲＬを少なくとも送信するステップと；
前記画像識別情報を受信判定したとき、前記画像識別情報に基づいて特定される前記天体存在方向に携帯端末を向かせるための案内を生成するステップと；
前記画像識別情報に対応する前記特定の天体の画像を前記天体観賞エンジンから取得し、前記案内に応じて前記天体存在方向に前記携帯端末が向けられた時点で前記情報伝達の内容を受信したように、前記特定の天体の画像とともに表示させるステップと；
を実行させる天体観賞連携通信制御プログラム。
【請求項１０】
通信機能を含み、天体存在方向に向けられたとき、特定の天体に関する少なくとも画像が表示される携帯端末に、
前記天体存在方向に向けられた携帯端末の方向を検出するステップと；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させるステップと；
この演出効果画面の表示状態において、前記選択された情報伝達を遂行するとき、前記情報伝達の内容とともに、前記画像識別情報またはこの画像識別情報に対応付けられたＵＲＬを少なくとも送信するステップとを実行させ；
前記送信するステップは、ＧＰＳ受信機からの地理的位置情報に基づいて特定される前記情報伝達の内容としての所在地情報と、所在地情報伝達または距離情報伝達を指定する伝達種別とを更に送信し；
前記画像識別情報、前記所在地情報及び前記伝達種別を受信判定したとき、前記画像識
別情報に対応する前記特定の天体の画像を前記天体観賞エンジンから取得し、前記天体存在方向に携帯端末が自主的に向けられた時点で前記情報伝達の内容を受信したように、前記特定の天体の画像とともに表示させるステップを更に実行させ；
この表示させるステップは、前記伝達種別が所在地情報伝達の場合は、受信した所在地情報を表示させ、前記伝達種別が距離情報伝達の場合は、受信した所在地情報と自己の所在地情報とに基づいて算出した距離を表示させる、
天体観賞連携通信制御プログラム。
【請求項１１】
通信機能を含み、天体存在方向に向けられたとき、特定の天体に関する少なくとも画像が表示される携帯端末に、
前記天体存在方向に向けられた携帯端末の方向を検出するステップと；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させるステップと；
この演出効果画面の表示状態において、前記選択された情報伝達を遂行するとき、前記情報伝達の内容とともに、前記画像識別情報またはこの画像識別情報に対応付けられたＵＲＬを少なくとも送信するステップと；
前記送信するステップが、前記画像識別情報に対応付けられたＵＲＬで特定されるサーバに前記情報伝達の内容をアップロードしたとき、前記サーバに対応付けられた前記天体存在方向に携帯端末が自主的に向けられた時点で前記情報伝達の内容を受信したように、前記天体観賞エンジンから取得した前記特定の天体の画像とともに表示させるステップと；
を実行させる天体観賞連携通信制御プログラム。
【請求項１２】
通信機能を含み、天体存在方向に向けられたとき、特定の天体に関する少なくとも画像が表示される携帯端末に、
前記天体存在方向に向けられた携帯端末の方向を検出するステップと；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させるステップと；
この演出効果画面の表示状態において、前記選択された情報伝達を遂行するとき、前記情報伝達の内容とともに、前記画像識別情報またはこの画像識別情報に対応付けられたＵＲＬを少なくとも送信するステップとを実行させ；
前記送信するステップは、ＧＰＳ受信機からの地理的位置情報に基づいて特定される前記情報伝達の内容としての所在地情報と、所在地情報伝達または距離情報伝達を指定する伝達種別とを更に送信し；
前記送信するステップが、前記画像識別情報に対応付けられたＵＲＬで特定されるサーバに前記情報伝達の内容をアップロードしたとき、前記サーバに対応付けられた前記天体存在方向に携帯端末が自主的に向けられた時点で前記情報伝達の内容を受信したように、前記天体観賞エンジンから取得した前記特定の天体の画像とともに表示させるステップを更に実行させる、
天体観賞連携通信制御プログラム。
【発明の詳細な説明】
【技術分野】
【０００１】
本発明は、天体観賞連携通信機能を含む携帯端末に関する。
【背景技術】
【０００２】
近年、ＧＰＳ（全地球測位システム：Global Positioning System）受信機能を含むラップトップ型パーソナルコンピータ及び携帯電話端末などの携帯端末が普及している。この携帯端末では、ユーザ（利用者と記載することもある）が携帯端末を見たい星空方向に指し示すだけで、地磁気センサ及び加速度センサなどの各種センサと協働する星空（天体）観賞ソフトウェアの実行により表示される所望の天体を観賞することができる。このような携帯端末では、雲などの遮蔽物が存在する状態、更には地平線の下の方向であっても、望遠鏡では見えないはずの天体を表示可能である。【０００３】
特許文献には、ＧＰＳ及び地磁気センサと連携し、利用者が星座の方向に携帯端末の向きを合わせることにより、対応の星座名及び星座の画像を表示させ、また利用者が星座名を入力することにより、対応の星座の方向を表示させる携帯端末を提案するものがある。提案されたこの携帯端末においては、利用者が星座に関する知識を有さず、星座を特定するための情報がなくても、星座の観測を楽しむことを可能にしている。
【先行技術文献】
【特許文献】
【０００４】
【特許文献１】特開２００３−２０９５９８号公報
【特許文献２】特開２００４−１３０６６号公報
【特許文献３】特開２００６−２２９５４９号公報
【特許文献４】国際公開第２００２／０２１２８７号
【発明の概要】
【発明が解決しようとする課題】
【０００５】
上述した技術により、携帯端末の付加価値を向上することができる。しかし、ＧＰＳ、地磁気センサなどの各種センサ、天体観賞ソフトウェアと連携して、各種伝達情報の送受信に演出効果を提供し、携帯端末の付加価値を更に向上する提案はない。【０００６】
本発明の課題は、天体観賞ソフトウェア（天体観賞エンジン）などと連携し、携帯端末の付加価値を更に向上することを可能にする技術を提供することにある。
【課題を解決するための手段】
【０００７】
上記課題を解決するために、本発明の携帯端末は、通信機能を含み、天体存在方向に向けられたとき、特定の天体に関する少なくとも画像が表示される携帯端末であって；前記天体存在方向に向けられた携帯端末の方向を検出する手段と；検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させる手段と；この演出効果画面の表示状態において、前記選択された情報伝達を遂行するとき、前記情報伝達の内容とともに、前記画像識別情報またはこの画像識別情報に対応付けられたＵＲＬを少なくとも送信する手段とを備える。
【発明の効果】
【０００８】
本発明によれば、天体観賞エンジンと連携して、各種伝達情報の送受信に演出効果を提供し、携帯端末の付加価値を更に向上することができる。【０００９】
本発明の他の課題、特徴及び利点は、図面及び併記の請求の範囲とともに取り上げられる際に、以下に記載される発明を実施するため形態を読むことにより明らかになるであろう。
【図面の簡単な説明】
【００１０】
【図１】図１は本発明の一実施の形態の携帯端末の構成を示すブロック図。
【図２】図２は本発明の一実施の形態の携帯端末において表示される初期画面を示す。
【図３】図３は本発明の一実施の形態の携帯端末において表示される演出効果画面を示す。
【図４Ａ】図４Ａは本発明の一実施の形態の携帯端末の動作を説明するためのフローチャート。
【図４Ｂ】図４Ｂは本発明の一実施の形態の携帯端末の動作を説明するためのフローチャート。
【図４Ｃ】図４Ｃは本発明の一実施の形態の携帯端末の動作を説明するためのフローチャート。
【発明を実施するための形態】
【００１１】
以下、添付図面を参照して、本発明についてさらに詳細に説明する。図面には本発明の好ましい実施形態が示されている。しかし、本発明は、多くの異なる形態で実施されることが可能であり、本明細書に記載される実施形態に限定されると解釈されてはならない。
【００１２】
［構成及び機能］
図１は本発明の一実施の形態における天体観賞連携通信機能を含む携帯端末の詳細構成を示す。携帯端末１Ａ，１Ｂは同一構成を採るので、ここでは、携帯端末１Ａについてのみ説明する。
【００１３】
ユーザが利用する携帯端末１Ａは、ラップトップ型パーソナルコンピータ及び携帯電話端末などの移動体端末であり、一般的構成要素として、ＣＰＵ（Central Processing Unit）と、作業用メモリのＲＡＭ（Random Access Memory）と、各種アプリケーションプログラムを格納するＲＯＭ（Read Only Memory）とを備える。また、携帯端末１Ａは、無線／有線通信インタフェースと、情報入力のためのテンキー及び各種機能ボタン（キー）と、情報表示のためのディスプレイと、情報指定のためのポインティング部及びカーソル送り部などを備える。
【００１４】
図１に示す主制御部３０はＣＰＵに、記憶部３１はＲＡＭ及びＲＯＭに、かつ表示部３２はディスプレイにそれぞれ対応している。他の一般的構成要素は、当業者が容易に理解でき、実施可能であるので、図示を省略している。
【００１５】
後に詳述する天体観賞連携通信機能を論理的に実現するには、携帯端末１Ａにおいて、記憶部３１のＲＯＭに天体観賞連携通信制御プログラムをアプリケーションプログラムとしてインストールしておくことにより、ユーザからの要求などを契機に、主制御部３０がこの制御プログラムを記憶部３１のＲＡＭに展開して実行する。
【００１６】
携帯端末１Ａは、天体観賞エンジン１０、ＧＰＳ受信機１１、地磁気センサ１２、及び加速度センサ１３を備える。また、携帯端末１Ａは、位置情報取得部１４、方向検知処理部１５、及び重力加速度検知部１６を備える。携帯端末１Ａは、表示処理部１７、メッセージ処理部１８、ブラウザ１９、通信処理部２０、及びメールアプリ（アプリケーション）２１を更に備える。なお、図１では、これらの構成要素と、主制御部３０及び記憶部３１との接続関係は、簡潔化のために図示を省略している。
【００１７】
天体観賞エンジン１０は、表示天体の拡大及び縮小などの視野角調整機能、天体名などの基本情報表示機能、及びキーワード入力による天体検索機能などを含む星空観賞ソフトウェア（例えば、ステラウィンドウ（Stellar Window））により構成することが可能である。この天体観賞エンジン１０は、ユーザが携帯端末１Ａの予め定めた部位を見たい天体の存在方向に指し示すだけで、ＧＰＳ受信機１１、地磁気センサ１２及び加速度センサ１３から取得される情報などを参照して、雲などの遮蔽物が存在する状態、更には地平線の下の方向であっても、実際には現在位置から見えないはずの天体をも表示可能である。ここで、天体は恒星、星座、星雲・星団・銀河、惑星、及び人工衛星を含む。
【００１８】
ＧＰＳ受信機１１は、複数のＧＰＳ衛星から送信される測位信号を受信し、携帯端末１Ａの位置する地理的位置情報（経度、緯度）を位置情報取得部１４からの要求に応じて出力する。
【００１９】
位置情報取得部１４は、表示処理部１７からの要求に応じて、ＧＰＳ受信機１１から位置情報を取得する。さらに、位置情報取得部１４は、取得した位置情報から所在地を特定し、所在地情報（例えば、ＸＸ県ＹＹ市）を表示処理部１７、メッセージ処理部１８、及びブラウザ１９に通知する。
【００２０】
地磁気センサ１２は、互に直交するＸ軸，Ｙ軸，Ｚ軸方向の３軸毎の地磁気値を計測する。ここで、地磁気値は、地磁気ベクトルであり、厳密には地磁気による真北方向ベクトルである。
【００２１】
加速度センサ１３は、互に直交するＸ軸，Ｙ軸，Ｚ軸方向の３軸毎の加速度値を計測する。ここで、加速度値は、加速度ベクトルであり、厳密には重力加速度方向ベクトルである。
【００２２】
重力加速度検知部１６は、加速度センサ１３から３軸毎の加速度値を取得し、重力加速度方向を検出する。重力加速度検知部１６は重力加速度方向情報を周期的（例えば、２０ｍｓ周期）に方向検知処理部１５に通知する。
【００２３】
方向検知処理部１５は、地磁気センサ１２から３軸毎の地磁気値として真北方向ベクトルを取得し、重力加速度検知部１６から通知される重力加速度方向情報の重力加速度方向ベクトルを併用して、所望の天体の存在方向に対応する携帯端末１Ａの方向を検出（算出）する。携帯端末１Ａの方向は、水平面内の角度（方角）に対応する方位と、垂直面内の角度（仰角、俯角）に対応する姿勢とによって定められる。
【００２４】
方向検知処理部１５は、携帯端末１Ａの方向を検出するとき、磁北と地球の真北との偏角補正を行う。方向検知処理部１５は算出した方向情報を周期的（例えば、２０ｍｓ周期）に表示処理部１７に通知する。
【００２５】
表示処理部１７は、次の処理機能を含む。
（Ａ１）方向検知処理部１５から通知される携帯端末１Ａの方向情報などに応じて、天体観賞エンジン１０から取得した特定の天体の画像データ（画像及び説明データ）を表示部３２に表示させる。
（Ａ２）ユーザからメール送信（メール伝達）要求があったとき、メールアプリ２１を起動して天体の画像データのＩＤ（画像識別情報）を渡す。
（Ａ３）ユーザからメッセージ伝達要求があったとき、天体の画像データのＩＤに予め対応付けられているサーバ３のアドレスまたは識別子であるＵＲＬ（Uniform Resource Locator）を渡してブラウザ１９を起動する。
（Ａ４）ユーザから所在地情報伝達要求があったとき、位置情報取得部１４に対して位置情報取得要求を通知する。
（Ａ５）ユーザから所在地情報伝達要求があったとき、メールアプリ２１を起動して天体の画像データＩＤ及び所在地情報を渡す。
（Ａ６）メール受信イベントとして、メッセージ処理部１８から受け取った天体の画像データＩＤに対応する画像を表示部３２に表示させた後に、メッセージ処理部１８に表示処理したことを通知する。
（Ａ７）メール受信イベントとして、メッセージ処理部１８から受け取った天体の画像データＩＤが一致したとき、自己端末の所在地情報と相手端末の所在地情報とに基づいて距離を算出し、距離情報を表示部３２に表示させる。
【００２６】
メッセージ処理部１８は、次の処理機能を含む。
（Ｂ１）天体の画像データＩＤを含むメール受信イベントを通信処理部２０から受け取ったときに、メールヘッダ及びメール本文を含むメールデータを記憶部３１に退避させた後で、メール本文中の天体の画像データＩＤに基づいた特定の天体の存在方向を向かせるための案内をメール本文に書き込む。
（Ｂ２）処理（Ｂ１）において、特定の天体の存在方向を向かせるための案内をメール本文に書き込んだメールデータをメールアプリ２１に渡す。
（Ｂ３）処理（Ｂ１）におけるメール本文中の天体の画像データＩＤを表示処理部１７に渡す。
（Ｂ４）処理（Ｂ１）で退避させたメールデータをメールアプリ２１に渡す。
（Ｂ５）天体の画像データＩＤ、所在地情報及び伝達種別を含むメール受信イベントを通信処理部２０から受け取ったときに、これらの天体の画像データＩＤ、所在地情報及び伝達種別を表示処理部１７に渡す。
【００２７】
メールアプリ（メーラ）２１はメッセージ処理部１８から受信したメールデータを表示処理部１７を介して表示部３２に表示する。メールアプリ２１は、表示処理部１７からの要求に応じて起動し、ユーザによるメールの編集を可能にする。メールアプリ２１は、メールの編集後、通信処理部２０にメールデータを通知する際に、表示処理部１７から受け取った天体の画像データＩＤをメール本文に付加する。
【００２８】
ブラウザ（ウェブブラウザ）１９は、表示処理部１７からの要求に応じて起動し、ＵＲＬに基づく特定の接続先、つまりサーバ３へのアクセスを可能にすると共に、ユーザによるメッセージの編集などを可能にする。
【００２９】
サーバ３は、サーバコンピュータであり、中央制御装置、主記憶装置、補助記憶装置としてのハードディスクドライブ装置、及び通信インタフェースなどを備えるが、ここではこの詳細構成の図示を省略している。サーバ３は、携帯端末１Ａ，１Ｂから通信網２を通してアップロードされた各種伝達情報、つまり所在地情報及びユーザ作成のメッセージなどを記憶部３Ａに保存する。
【００３０】
［動作］
次に、図１に示す本発明の一実施の形態の携帯端末１Ａ，１Ｂにおける天体観賞連携通信について、関連図を併せ参照して説明する。
【００３１】
送信ユーザ利用の携帯端末１Ａ及び受信ユーザ利用の携帯端末１Ｂは、通信網２を通して、メールアプリ２１またはサーバ３と協働して、天体観賞連携通信を行う。
【００３２】
送信ユーザは、携帯端末１Ａを予め知っている所望の天体の存在方向に向け、待ち受け状態からメニュー画面（図示省略）を介して天体観賞連携通信指定を行う。
【００３３】
送信側の携帯端末１Ａにおいては、送信ユーザからの天体観賞連携通信指定を契機に（図４Ａ中のＳ５１）、主制御部３０は、記憶部３１のＲＯＭにアプリケーションプログラムとしてインストールされている天体観賞連携通信制御プログラムを記憶部３１のＲＡＭに展開して、天体観賞連携通信処理の実行を開始する（Ｓ５２）。
【００３４】
処理Ｓ５２に続いて、主制御部３０は予め設定した周期タイマを起動する（Ｓ５３）。重力加速度検知部１６は、加速度センサ１３から３軸毎の加速度値を取得し、重力加速度方向情報を方向検知処理部１５に周期的（例えば、２０ｍｓ周期）に通知する（Ｓ５４）。
【００３５】
方向検知処理部１５は、地磁気センサ１２から３軸毎の地磁気値を取得し、通知された重力加速度方向情報を併用して、所望の天体の存在方向に対応する携帯端末１Ａの方向（方位及び姿勢）を算出し、方向情報を表示処理部１７に周期的（例えば、２０ｍｓ周期）に通知する（Ｓ５５）。これらの処理Ｓ５３，Ｓ５４，Ｓ５５は天体観賞連携通信処理の実行が終了するまで繰り返される。
【００３６】
表示処理部１７は、方向検知処理部１５で算出された携帯端末１Ａの方向に応じた特定の天体の画像データをＩＤ（画像識別情報）とともに天体観賞エンジン１０から取得し、この天体の画像データを表示部３２に初期画面４１として表示させる（Ｓ５６）。
【００３７】
図２は初期画面４１の一例を示している。初期画面４１には、特定の天体としての木星に関する画像及び説明データ（天体名、距離、明るさ、赤径、赤緯、方位、仰角）が天体の画像データとして表示されている。この初期画面４１において、送信ユーザがメニューキー４２を指定すると、動作メニュー４３が表示される。この動作メニュー４３は、動作メニュー情報として、メール送信（メール伝達）、メッセージ伝達、及び所在地情報伝達の各情報伝達要求を含んでいる。ここで、所在地情報伝達要求が選択されたときは、伝達種別として、所在地情報伝達または距離情報伝達を更に選択可能にするプルダウンメニュが表示される。
【００３８】
表示処理部１７は、後続の処理に利用するために、初期画面４１において送信ユーザによって選択された動作メニュー情報を一時的に記憶部３１に保存する（Ｓ５７）。
【００３９】
続いて、表示処理部１７は、初期画面４１において送信ユーザによって選択された動作メニュー４３がメール送信要求であるかを保存情報を参照して判定する（図４Ｂ中のＳ５８）。判定結果がメール送信要求でないときは、処理Ｓ６１に進む。
【００４０】
表示処理部１７は、メール送信要求であると肯定（Ｙｅｓ）判定したときは、メールアプリ２１を起動するとともに、表示している天体（木星）の画像データのＩＤをメッセージ処理部１８に渡す（Ｓ５９）。画像データのＩＤは、天体の画像データとしての画像及び説明データとともに、天体観賞エンジン１０によって管理される。
【００４１】
メールアプリ２１は、送信ユーザによるメールの編集後に、メッセージ処理部１８を経由して通信処理部２０にメールヘッダ及びメール本文を含むメールデータを通知する。このとき、メッセージ処理部１８は、表示処理部１７から受け取った木星の画像データＩＤをメール本文に付加する（Ｓ６０）。通信処理部２０から携帯端末１Ｂに対して送信されるメールデータのメール本文には、木星の画像データＩＤが含まれている。
【００４２】
図３は、初期画面４１において選択された動作メニュー４３がメール送信要求であるときに、表示処理部１７によって表示部３２に表示される演出効果画面４４の一例を示す。この演出効果画面４４は、携帯端末１Ａのユーザがメールを送る相手（携帯端末１Ｂのユーザ）に見てもらいたい木星の存在方向に伝達情報としてのメールを送信することを意図している。この演出効果画面４４は、メール送信の特徴を表示するために、ポスト及び封書のマークを含む。
【００４３】
次に、表示処理部１７は、初期画面４１において送信ユーザによって選択された動作メニュー４３がメッセージ伝達要求であるかを保存情報を参照して判定する（Ｓ６１）。判定結果がメッセージ伝達要求でないときは、処理Ｓ６３に進む。
【００４４】
表示処理部１７は、メッセージ伝達要求であると肯定（Ｙｅｓ）判定したときは、木星の画像データのＩＤに対応したＵＲＬを記憶部３１のＩＤ−ＵＲＬ対応テーブル（図示省略）から取得してブラウザ１９に渡し、ブラウザ１９を起動する（Ｓ６２）。
【００４５】
ブラウザ１９は、表示処理部１７からの要求に応じて起動し、ＵＲＬに基づく特定の接続先、つまりサーバ３へのアクセスを可能にすると共に、送信ユーザによるメッセージの編集などを可能にする（Ｓ６２）。
【００４６】
サーバ３は、送信側の携帯端末１Ａにおけるメッセージ処理部１８から通信網２を通してアップロードされた伝達情報、つまりユーザ作成のメッセージを記憶部３Ａに保存する（Ｓ６２）。
【００４７】
初期画面４１において選択された動作メニュー４３がメッセージ伝達要求であるときに、表示処理部１７によって表示部３２に表示される演出効果画面４４は、携帯端末１Ａのユーザが不特定多数の相手（携帯端末１Ｂのユーザなど）に見てもらいたいメッセージ（例えば、ＣＭ（Commercial Message））を木星の存在方向に配信し、木星に対応付けられたサーバ３の特定の場所（格納領域）にメッセージを残す（保持）することを意図している。
【００４８】
後に、携帯端末１Ｂにおいては、受信ユーザが、自主的にまたは偶然に、木星の存在方向に携帯端末１Ｂを向けると、表示処理部１７及びメッセージ処理部１８は、携帯端末１Ａからこのタイミング（時点）でメッセージを受信したように、天体観賞エンジン１０から取得した木星の画像データとともに表示部３２に表示する。なお、この演出効果画面４４は図３中のポストのマークを含まない。
【００４９】
更に、表示処理部１７は、初期画面４１において送信ユーザによって選択された動作メニュー４３が所在地情報伝達要求であるかを保存情報を参照して判定する（Ｓ６３）。所在地情報伝達要求でないときは、処理Ｓ６６に進む。
【００５０】
表示処理部１７は、所在地情報伝達要求であると肯定（Ｙｅｓ）判定したときは、位置情報取得部１４がＧＰＳ受信機１１から取得した位置情報に基づいて特定した所在地情報を受信する（Ｓ６４）。
【００５１】
表示処理部１７はメールアプリ２１を起動し、メールアプリ２１は送信ユーザによるメールヘッダの編集後の空のメール本文を含むメールデータをメッセージ処理部１８に通知する。このとき、メッセージ処理部１８は、表示処理部１７からそれぞれ受け取った木星の画像データＩＤと、所在地情報と、伝達種別（所在地情報伝達または距離情報伝達）とをメール本文に書き込んだメールデータを通信処理部２０に渡す（Ｓ６５）。
【００５２】
通信処理部２０は、メール本文にこれらの各種伝達情報を含むメールデータを携帯端末１Ｂに対して送信する。
【００５３】
初期画面４１において選択された動作メニュー４３が所在地情報伝達要求であるときに、表示処理部１７によって表示部３２に表示される演出効果画面４４は、携帯端末１Ａのユーザがメールを送る相手（携帯端末１Ｂのユーザ）に見てもらいたい木星の存在方向に所在地情報及び伝達種別を送信することを意図している。
【００５４】
受信側の携帯端末１Ｂにおいては、通信処理部２０が携帯端末１Ａから送信されたメールを受信したとき、メッセージ処理部１８はメール受信イベントを検出する。メッセージ処理部１８によるメール受信イベントの検出を契機に、主制御部３０は、記憶部３１のＲＯＭにアプリケーションプログラムとしてインストールされている天体観賞連携通信制御プログラムを記憶部３１のＲＡＭに展開して、天体観賞連携通信処理の実行を開始する（Ｓ５２）。処理Ｓ５１はジャンプされる。
【００５５】
携帯端末１Ｂにおいては、処理Ｓ５２に続いて、天体観賞連携通信処理の実行が終了するまで、処理Ｓ５３，Ｓ５４，Ｓ５５が繰り返される。処理Ｓ５６，Ｓ５７はジャンプされ、処理Ｓ５８，Ｓ６１，Ｓ６３は全て否定（Ｎｏ）の判定結果を経て、処理Ｓ６６に至る。
【００５６】
メッセージ処理部１８は、メール受信イベントを検出後、メール本文に天体の画像データＩＤが含まれているかを文字列に基づいて判定する（Ｓ６６）。天体の画像データＩＤでないときは、処理Ｓ７１に進む。
【００５７】
メッセージ処理部１８は、メール本文が天体の画像データＩＤであると肯定（Ｙｅｓ）判定したときは、メールデータを記憶部３１に一時的に退避させる。退避後に、メッセージ処理部１８は、天体の画像データＩＤに基づいた特定の天体（木星）の存在方向を向かせるための案内、例えば「木星の存在方向に着信メールがあるよ」にメール本文を書き換えたメールデータをメールアプリ２１に渡す。メールアプリ２１はメッセージ処理部１８から受信した案内を表示処理部１７を介して表示部３２に表示する（Ｓ６７）。
【００５８】
また、メッセージ処理部１８はメール本文中の木星の画像データＩＤを表示処理部１７に渡す（Ｓ６８）。
【００５９】
表示処理部１７は、メッセージ処理部１８から受信した画像データＩＤに対応する木星の画像データを天体観賞エンジン１０から取得し、受信ユーザが予め知っている木星の存在方向に携帯端末１Ｂを向けたとき、木星の画像データを表示部３２に表示させた後に、メッセージ処理部１８に対して表示したことを通知する（Ｓ６９）。
【００６０】
この通知により、メッセージ処理部１８は、退避させたメールデータをメールアプリ２１に渡し、メールアプリ２１から表示処理部１７経由で表示部３２に表示する（Ｓ７０）。
【００６１】
上述したメール受信処理によると、木星の存在方向に着信メールがあることを通知された携帯端末１Ｂのユーザが、木星の存在方向に携帯端末１Ｂを向けると、このタイミングでメールを受信したように、天体観賞エンジン１０から取得した木星の画像データとともに表示する。つまり、携帯端末１Ｂにおいては、既にメールを受信しているが、天体観賞連携通信制御プログラムの制御により、上記タイミングまでは受信メールの内容を表示しないように演出する。
【００６２】
次に、メッセージ処理部１８は、メール受信イベントを検出後、メール本文に天体の画像データＩＤと、所在地情報と、伝達種別とが含まれているかを文字列に基づいて判定する（Ｓ７１）。これらの情報でないときは、終了処理に進む。
【００６３】
メッセージ処理部１８は、メール本文が天体の画像データＩＤ、所在地情報及び伝達種別であると肯定（Ｙｅｓ）判定したときは、これらの情報の全てを表示処理部１７に渡す（Ｓ７２）。
【００６４】
表示処理部１７は、送信側の携帯端末１Ａ及び受信側の携帯端末１Ｂ間で天体の画像データＩＤが一致し、かつ伝達種別が所在地情報伝達の場合は、メール本文に記載されている相手（携帯端末１Ａ）の所在地情報を表示部３２に表示させる（Ｓ７３）。例えば、この所在地情報としては、「ＸＸ県ＹＹ市から来た方が訪問中です」が表示される。
【００６５】
また、表示処理部１７は、送信側の携帯端末１Ａ及び受信側の携帯端末１Ｂ間で天体の画像データＩＤが一致し、かつ伝達種別が距離情報伝達の場合は、位置情報取得部１４から受信した自己（携帯端末１Ｂ）の所在地情報と、メール本文に記載されている相手（携帯端末１Ａ）の所在地情報とに基づいて距離を算出し、表示部３２に表示させる（Ｓ７３）。例えば、この距離情報としては、「訪問中の方との距離はＹＹｋｍです」が表示される。
【００６６】
これらの所在地情報伝達及び距離情報伝達において、送信側の携帯端末１Ａ及び受信側の携帯端末１Ｂ間の天体の画像データＩＤの一致処理は、上述したメール受信処理と同様に表示処理部１７、メッセージ処理部１８及び天体観賞エンジン１０などの協働により遂行される。
【００６７】
上述した所在地情報伝達及び距離情報伝達の処理によると、携帯端末１Ｂのユーザが、自主的にまたは偶然に、木星の存在方向に携帯端末１Ｂを向けると、このタイミングで所在地情報を含むメールを受信したように、天体観賞エンジン１０から取得した木星の画像データとともに表示する。つまり、携帯端末１Ｂにおいては、既にメールを受信しているが、天体観賞連携通信制御プログラムの制御により、上記タイミングまでは所在地情報及び距離情報を表示しないように演出する。
【００６８】
なお、上述した所在地情報伝達及び距離情報伝達の処理は、送信側の携帯端末１Ａ、受信側の携帯端末１Ｂ、及びサーバ３の連携により遂行可能である。
【００６９】
この場合、サーバ３は、送信側の携帯端末１Ａにおけるメッセージ処理部１８が通信網２を通して通知（アップロード）する各種伝達情報、つまり特定の天体（木星）の画像データのＩＤ、所在地情報、及び伝達種別を記憶部３Ａに保存する。
【００７０】
受信側の携帯端末１Ｂは、自主的または偶然に、木星に対応付けられたサーバ３にアクセスし、保存されている各種伝達情報を取得する。つまり、携帯端末１Ｂにおいては、受信ユーザが木星の存在方向に携帯端末１Ｂを向けると、表示処理部１７及びメッセージ処理部１８は携帯端末１Ａからこのタイミングで伝達情報を受信したように表示部３２に表示する。
【００７１】
［変形例］
上述した一実施の形態の動作説明においては、携帯端末１Ａを送信側とし、携帯端末１Ｂを受信側としたが、これらの携帯端末１Ａ，１Ｂのそれぞれは、送信側及び受信側の双方の機能を備える構成において実施可能である。
【００７２】
また、上述した一実施の形態における処理は、コンピュータで実行可能なプログラムとして提供され、ＣＤ−ＲＯＭやフレキシブルディスクなどの記録媒体、さらには通信回線を経て提供可能である。
【００７３】
さらに、上述した一実施の形態における各処理は、その任意の複数または全てを選択し組合せて実施することもできる。
【００７４】
［その他］
上述した一実施の形態及び変形例に関し、更に以下の付記を開示する。
【００７５】
（付記１）メール送信／メッセージ伝達
通信機能を含み、天体存在方向に向けられたとき、特定の天体に関する少なくとも画像が表示される携帯端末であって；
前記天体存在方向に向けられた携帯端末の方向を検出する手段と；
検出された前記携帯端末の方向に対応する前記特定の天体の画像及び画像識別情報を天体観賞エンジンから取得し、複数種類の情報伝達のいずれかが選択されたとき、前記特定の天体の画像を含みかつ選択された情報伝達に応じた演出効果画面を表示させる手段と；
この演出効果画面の表示状態において、前記選択された情報伝達を遂行するとき、前記情報伝達の内容とともに、前記画像識別情報またはこの画像識別情報に対応付けられたＵＲＬを少なくとも送信する手段と；
を備える携帯端末。
【００７６】
（付記２）メール送信
前記画像識別情報を受信判定したとき、前記画像識別情報に基づいて特定される前記天体存在方向に携帯端末を向かせるための案内を生成する手段と；
前記画像識別情報に対応する前記特定の天体の画像を前記天体観賞エンジンから取得し、前記案内に応じて前記天体存在方向に前記携帯端末が向けられた時点で前記情報伝達の内容を受信したように、前記特定の天体の画像とともに表示させる手段と；
を更に備える付記１記載の携帯端末。
【００７７】
（付記３）所在地情報伝達／距離情報伝達
前記送信する手段は、ＧＰＳ受信機からの地理的位置情報に基づいて特定される前記情報伝達の内容としての所在地情報と、所在地情報伝達または距離情報伝達を指定する伝達種別とを更に送信する
付記１記載の携帯端末。
【００７８】
（付記４）所在地情報伝達／距離情報伝達
前記画像識別情報、前記所在地情報及び前記伝達種別を受信判定したとき、前記画像識別情報に対応する前記特定の天体の画像を前記天体観賞エンジンから取得し、前記天体存在方向に携帯端末が自主的に向けられた時点で前記情報伝達の内容を受信したように、前記特定の天体の画像とともに表示させる手段を更に備え；
この表示させる手段は、前記伝達種別が所在地情報伝達の場合は、受信した所在地情報を表示させ、前記伝達種別が距離情報伝達の場合は、受信した所在地情報と自己の所在地情報とに基づいて算出した距離を表示させる
付記３記載の携帯端末。
【００７９】
（付記５）メッセージ伝達／所在地情報伝達／距離情報伝達
前記送信する手段が、前記画像識別情報に対応付けられたＵＲＬで特定されるサーバに前記情報伝達の内容をアップロードしたとき、
前記サーバに対応付けられた前記天体存在方向に携帯端末が自主的に向けられた時点で前記情報伝達の内容を受信したように、前記天体観賞エンジンから取得した前記特定の天体の画像とともに表示させる手段
を更に備える付記１または３記載の携帯端末。
【００８０】
（付記６）
前記検出する手段は、地磁気センサから取得した地磁気値と、加速度センサからの加速度値に基づく重力加速度方向情報とに応じて、前記天体存在方向に対応する前記携帯端末の方向を検出する
付記１記載の携帯端末。
【００８１】
（付記７）
前記携帯端末の方向は、水平面内の角度に対応する方位と、垂直面内の角度に対応する姿勢とによって定められる
付記６記載の携帯端末。
【符号の説明】
【００８２】
１Ａ    携帯端末
１Ｂ    携帯端末
２      通信網
３      サーバ
【図１】
0005609979.tif 000002
【図２】
0005609979.tif 000003
【図３】
0005609979.tif 000004
【図４Ａ】
0005609979.tif 000005
【図４Ｂ】
0005609979.tif 000006
【図４Ｃ】
0005609979.tif 000007